(57)【特許請求の範囲】
【請求項１】
物干し竿が挿入される保持孔が設けられた第１の端部と、当該第１の端部とは反対側に位置する第２の端部と、を有する延長アーム部材と、
物干し装置のアーム部材に形成された保持孔を用いて、当該アーム部材に前記延長アーム部材の前記第２の端部を回転可能に取り付ける取付部材と、
を備え、
前記取付部材は、前記アーム部材の前記保持孔を通じて前記延長アーム部材に固定されると共に、前記延長アーム部材に対する複数の相対的な回転位置の何れかで選択的に固定され、
前記取付部材は、前記延長アーム部材の回転中心から偏心した位置に、前記延長アーム部材の回転に伴って前記アーム部材の外縁に外側から当接するストッパ部を有する、物干し装置用延長器具。
【請求項２】
前記延長アーム部材は、一方向に延びた長板状であり、前記第１の端部及び前記第２の端部は、前記延長アーム部材の前記一方向における両端部であり、
前記第２の端部は、前記アーム部材に重なった状態で当該アーム部材に回転可能に取り付けされる、請求項１に記載の物干し装置用延長器具。
【請求項３】
前記アーム部材の前記保持孔に当該アーム部材の一方の側面側から挿入されるボス部であって、複数の溝部が内周面に形成されたボス部と、
前記アーム部材の前記保持孔に挿入された前記ボス部の内部に前記アーム部材の他方の側面側から嵌入される円柱状の結合部であって、前記複数の溝部の何れかに選択的に嵌入する少なくとも１つのリブが外周面に形成された結合部と、
を更に備え、
前記ボス部及び前記結合部のうちの一方が前記延長アーム部材の前記第２の端部に設けられ、他方が前記取付部材に設けられている、請求項１又は２に記載の物干し装置用延長器具。
【発明の詳細な説明】
【技術分野】
【０００１】
この発明は、ベランダ等に設置されて物干し竿を保持するアーム部材を備えた物干し装置に取り付けられ、アーム部材の長さを延長する物干し装置用延長器具に関する。
【背景技術】
【０００２】
物干し竿を保持する物干し装置として、支持部材とアーム部材とを備えたものがある（例えば、特許文献１参照。）。支持部材を壁面や支柱等の垂直面に固定し、この支持部材に対してアーム部材をその基端部を中心に垂直面内で回転自在に支持させる。
【０００３】
物干し竿を保持するアーム部材は、例えば、斜め上方に傾斜した状態の露出位置と垂直状態の収納位置とのそれぞれで選択的に固定できるようにされている。露出位置にあるアーム部材に物干し竿を保持させる一方、アーム部材を収納位置に位置させることで不使用時の収納スペースを小型化できる。
【０００４】
特に、カーポートの支柱やベランダの手摺りの支柱等の２本の柱における互いに対向する垂直面に支持部材を固定した場合、不使用時にアーム部材を収納位置に位置させることで物干し装置全体が支柱の幅内に配置され、スペースを有効活用できるとともに、外観を煩雑にすることがない。
【先行技術文献】
【特許文献】
【０００５】
【特許文献１】特開２０１１−２４４９７０号公報
【発明の概要】
【発明が解決しようとする課題】
【０００６】
しかし、従来の物干し装置では、アーム部材の長さが不十分で、洗濯物を効率的に乾かすことができない場合がある。例えば、アーム部材に保持させた２本の物干し竿のそれぞれに洗濯物を掛けると、側面視においてそれぞれの物干し竿に掛けられた洗濯物同士が重なり、風通しが不十分で乾き難くなる。また、床面から物干し竿までの高さが不足し、ズボン等の長い洗濯物は中間部分で折り畳んで物干し竿に上から掛けることになり、風通しが不十分で乾き難くなる。
【０００７】
この発明の目的は、アーム部材の長さを容易に延長することができ、多量の洗濯物や長尺の洗濯物を確実に乾かすことができる物干し装置用延長器具を提供することにある。
【課題を解決するための手段】
【０００８】
この発明の物干し装置用延長器具は、延長アーム部材、取付部材、固定部材を備えている。延長アーム部材は、第１の端部に物干し竿が挿入される保持孔を備えている。取付部材は、延長アーム部材の第２の端部に所定の間隔を設けて取り付けられる。固定部材は、第２の端部において取付部材を延長アーム部材に対する複数の相対的回転位置の何れかで選択的に固定する。取付部材は、第２の端部における回転中心から偏心した位置に延長アーム部材に向かって突出するストッパ部を備えている。
【０００９】
取付部材は、固定部材を介して延長アーム部材との間に所定の間隔を設けて延長アーム部材の第２の端部に取り付けられる。このとき、取付部材は、延長アーム部材に対して複数の相対的回転位置の何れかに位置し、相対的回転位置に応じた位置にストッパ部が位置する。取付部材と延長アーム部材との間の間隔に物干し装置のアーム部材を挟持させて取付部材と延長アーム部材の第２の端部に取付部材を固定すると、取付部材と延長アーム部材とがアーム部材に対して一体的に回転する。このとき、固定部材によって規定される延長アーム部材と取付部材との相対的回転位置に応じた回転角度で、ストッパ部がアーム部材に当接することで、アーム部材に対する延長アーム部材の延出角度が規定される。
【００１０】
この構成において、固定部材は、延長アーム部材の第２の端部と取付部材とのそれぞれに備えられるボス部と結合部とで構成することが好ましい。ボス部は、物干し装置のアーム部材に形成された物し竿の保持孔にアーム部材の一方から挿入され、内周面に軸方向の複数の溝部が形成されている。結合部は、保持孔に挿入されたボス部の内部にアーム部材の他方から嵌入する円柱状を呈し、外周面に複数の溝部に嵌入する少なくとも１つの軸方向のリブが形成されている。少なくとも１つのリブを複数の溝部の何れに嵌入させるかによって決定した延長アーム部材と取付部材との相対的回転位置を維持したまま、延長アーム部材と取付部材とを保持孔で一体的に回転自在に支持することができる。
【００１１】
また、固定部材は、ボス部及び結合部を軸方向に挟んで締結される固定ネジ及び固定ナットを含むものとすることが好ましい。延長アーム部材と取付部材との相対的回転位置を容易な構成で確実に固定することができる。
【発明の効果】
【００１２】
本発明によれば、アーム部材の長さを容易に延長することができ、多量の洗濯物や長尺の洗濯物を確実に乾かすことができる。
【図面の簡単な説明】
【００１３】
【図１】（Ａ）及び（Ｂ）は、この発明の実施形態に係る物干し装置用延長器具の前面側から見た組立図及び背面側から見た組立図である。
【図２】同物干し装置用延長器具の物干し装置に対する装着状態を示す図である。
【図３】同物干し装置用延長器具の要部の側面断面図である。
【図４】（Ａ）〜（Ｄ）は、同物干し装置用延長器具の使用状態を説明する正面図である。
【発明を実施するための形態】
【００１４】
以下に、この発明の実施形態に係る物干し装置用延長器具を、図面を参照しつつ説明する。
【００１５】
図１（Ａ）及び（Ｂ）に示すように、この発明の第１の実施形態に係る物干し装置用延長器具１０は、延長アーム部材１、取付部材２、固定ネジ３を備え、物干し装置のアーム部の自由端に取り付けられてアーム部材の長さを延長する。
【００１６】
延長アーム部材１は、一例として樹脂成形によって形成された長板状を呈している。延長アーム部材１の長手方向における第１の端部１Ａには円形の保持孔１１が形成されており、第２の端部１Ｂにはボス部１２が形成されている。第１の端部１Ａと第２の端部１Ｂとの間には、円形の保持孔１３、略長円形状の軽め孔１４が形成されている。
【００１７】
保持孔１１及び１３は、物干し竿を貫通させて保持する。軽め孔１４は、延長アーム部材１の重量を軽減するために形成されているが、省略することもできる。ボス部１２は、所定の外径を有する円筒形状を呈し、延長アーム部材１の一方の側面側に突出している。ボス部１２の外周面は、円滑に形成されており、内周面には軸方向に平行な複数の溝部１２１が形成されている。ボス部１２には、中央部に孔部１２２が形成されている。
【００１８】
取付部材２は、一例として樹脂成形によって連結部２１、結合部２２、ストッパ部２３を一体に形成している。連結部２１は、平板状を呈し、第１の側面２１Ａから結合部２２及びストッパ部２３を突出させている。結合部２２は、一例として円柱状を呈し、外周面に軸方向の複数のリブ２２１を備えている。結合部２２には、中心に貫通孔２２２が形成されている。連結部２１の第２の側面２１Ｂ側における貫通孔２２２の端部には、凹部２１１が形成されている。凹部２１１には、固定ナット４が収納されている。ストッパ部２３は、一例として円柱状を呈している。
【００１９】
延長アーム部材１及び取付部材２において、ボス部１２の内径は連結部２１の結合部２２の外径に略等しくされており、複数のリブ２２１のそれぞれは高さ（半径方向の突出量）及び幅を複数の溝部１２１のそれぞれの少なくとも幅に略等しくされている。
【００２０】
図２に示すように、取付部材２は、結合部２２の複数のリブ２２１がそれぞれボス部１２の複数の溝部１２１に対向する状態で結合部２２をボス部１２内に嵌入し、孔部１２２及び貫通孔２２２に固定ネジ３を貫通させて固定ナット４に螺合させることにより、延長アーム部材１の第２の端部１Ｂに取り付けられる。このとき、延長アーム部材１と取付部材２の連結部２１との間に所定の間隔が形成される。ストッパ部２３は、少なくとも一部が延長アーム部材１と取付部材２の連結部２１との間の間隔内に位置する長さにされている。
【００２１】
図３に示すように、物干し装置１００のアーム部材１０１の最も外側の保持孔１０１１にボス部１２をアーム部材１０１の一方の側面から貫通させた後、結合部２２をアーム部材１０１の反対側の側面からボス部１２内に嵌入させ、固定ネジ３を固定ナット４に螺合させることで、物干し装置１００のアーム部材１０１に物干し装置用延長器具１０が装着される。
【００２２】
図２に示すように、ボス部１２の外径は、アーム部材１０１の保持孔１０１１の内径よりも僅かに小さくされている。また、延長アーム部材１と取付部材２の連結部２１との間の間隔は、アーム部材１０１の幅よりも大きくされている。延長アーム部材１及び取付部材２は、保持孔１０１１において一体的に回転自在にされる。延長アーム部材１及び取付部材２の回転範囲は、取付部材２２のストッパ部２３とアーム部材１０１との当接によって制限される。
【００２３】
結合部２２をボス部１２内に嵌入させる際に、結合部２２の複数のリブ２２１のそれぞれとボス部１２の複数の溝部１２１のそれぞれとの回転位置を選択することで、図４（Ｂ）〜（Ｄ）に示すように、ストッパ部２３がアーム部材１０１の底面に当接する際のアーム部材１０１と延長アーム部材１との角度が変化する。物干し装置用延長器具１０を構成する延長アーム部材１及び取付部材２の自重、並びに延長アーム部材１の保持孔１１及び１３の少なくとも一方に嵌入された物干し竿の重量により、物干し装置用延長器具１０には延長アーム部材１の第１の端部１Ａを下方に付勢する力が作用する。この付勢力により、図４（Ｂ）〜（Ｄ）に示すそれぞれの位置で、ストッパ部２３とアーム部材１０１の底面との当接が継続される。物干し装置用延長器具１０を用いて物干し装置１００のアーム部材１０１を容易かつ確実に延長できる。
【００２４】
図４（Ａ）に示すように、延長アーム部材１の保持孔１１に物干し竿２００を嵌入させた状態で、延長アーム部材１及び取付部材２の自重、並びに物干し竿２００の重量に抗して延長アーム部材１及び取付部材２を矢印方向に回転させると、物干し竿２００とアーム部材１０１の上面との当接によって回転が規制される。この状態では、物干し装置１００の取付面３００からの水平方向の突出量は、アーム部材１０１を含む物干し装置１００の全長に略一致し、物干し装置用延長器具１０を装着することによるスペースの狭小化を生じることがない。
【００２５】
なお、物干し装置用延長器具１０ではボス部１２を延長アーム部材１に形成するとともに結合部２２を取付部材２に形成しているが、ボス部１２を取付部材２に形成するとともに結合部２２を延長アーム部材１に形成してもよい。
【００２６】
また、物干し装置用延長器具１０では、複数のリブ２２１のそれぞれが嵌入する複数の溝部１２１を選択することで、アーム部材１０１からの延長アーム部材１の延出角度を決定するためのアーム部材１と取付部材２との相対的な回転位置を調整するようにしている。このリブ２２１の数は、溝部１２１と同数である必要はなく、溝部１２１よりも少なくすることもできる。
【００２７】
さらに、延長アーム部材１と取付部材２との相対的な回転位置の固定方法は、固定ネジ３と固定ナット４との締結に限るものではない。
【００２８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２９】
１−延長アーム部材
２−取付部材
３−固定ネジ
４−固定ナット
１０−物干し装置用延長器具
１１，１３−保持孔
１２−ボス部
２１−連結部
２２−結合部
１００−物干し装置
１０１−アーム部材
２００−物干し竿
【図１】
0006400343.tif 000002
【図２】
0006400343.tif 000003
【図３】
0006400343.tif 000004
【図４】
0006400343.tif 000005